(57)【要約】【課題】複数の非接触通信アンテナをひとつの通信制御装置にて制御することを可能とすることで、装置のコストを低減するとともに、有効となるアンテナ装置位置を利用者に明示することができるようにする。【解決手段】コンテンツを表示する表示部と、タッチ検出部とを備えたコンテンツ表示装置において、表示部と同一面側に配置された複数のアンテナと、前記複数のアンテナを選択的に切り替えるアンテナ切替え部と、前記アンテナ切替え部により選択されたアンテナを用いて、非接触通信を行う非接触通信部と、を備える。【選択図】図３
2019133687.tif 000002
【特許請求の範囲】
【請求項１】
表示コンテンツを表示する表示部を備えた表示装置において、
前記表示コンテンツに対応付けられたアンテナ情報に基づいて複数のアンテナから使用アンテナを選択するアンテナ選択部と、
選択された前記使用アンテナを用いて前記表示コンテンツに関する情報を情報端末装置に非接触通信により送信する非接触通信部と、
を備えることを特徴とする表示装置。
【請求項２】
前記表示装置は、タッチ操作を検出するタッチ検出部を更に備え、
前記複数のアンテナは、前記タッチ検出部の上に配置されていることを特徴とする請求項１に記載の表示装置。
【請求項３】
前記タッチ検出部は、前記非接触通信部により非接触通信が行われている場合には、タッチ操作の検出を無効にすることを特徴とする請求項２に記載の表示装置。
【請求項４】
前記表示コンテンツの内容と表示位置情報に基づいて前記使用アンテナの使用を制限するアンテナ制御部を更に備えることを特徴とする請求項１から３の何れか一項に記載の表示装置。
【請求項５】
選択された前記使用アンテナの領域を識別表示する表示制御部を更に備えることを特徴とする請求項１から４の何れか一項に記載の表示装置。
【請求項６】
前記アンテナ選択部は、一定の時間間隔で前記使用アンテナを選択することを特徴とする請求項１から５の何れか一項に記載の表示装置。
【請求項７】
前記アンテナ選択部は、コンテンツに応じた時間間隔で前記使用アンテナを選択することを特徴とする請求項６に記載の表示装置。
【請求項８】
表示コンテンツを表示する表示部を備えた表示装置における通信方法であって、
前記表示コンテンツに対応付けられたアンテナ情報に基づいて複数のアンテナから使用アンテナを選択するステップと、
選択された前記使用アンテナを用いて前記表示コンテンツに関する情報を前記情報端末装置に非接触通信により送信するステップと、
を含むことを特徴とする表示装置における通信方法。
【請求項９】
複数のアンテナと、当該アンテナと接続される非接触通信部と、表示コンテンツを表示する表示部と、制御部とを含む表示システムにおいて、
前記制御部は、
前記表示コンテンツに対応付けられたアンテナ情報に基づいて複数のアンテナから使用アンテナを選択し、
選択された前記使用アンテナを用いて情報端末装置に前記非接触通信部を介して前記表示コンテンツに関する情報を送信する、
ことを特徴とする表示システム。
【請求項１０】
複数のアンテナと、当該アンテナと接続される非接触通信部と、表示コンテンツを表示する表示部とを備えた装置において実行されるプログラムであって、
前記プログラムは、
前記表示コンテンツに対応付けられたアンテナ情報に基づいて複数のアンテナから使用アンテナを選択し、
選択された前記使用アンテナを用いて情報端末装置に前記非接触通信部を介して前記表示コンテンツに関する情報を送信する、
ことを特徴とするプログラム。
【発明の詳細な説明】
【技術分野】
【０００１】
本発明は、表示装置等に関する。
【背景技術】
【０００２】
近年、ＮＦＣ（Near Field Communication）など非接触型ＩＣカードを用いて非接触通信を行う機器が増えている。これら非接触型通信を行うためには通信用のアンテナだけではなく、相手の非接触通信装置からの電波を取得し、通信制御を行うためのリーダーライター装置（以下、「ＲＷ装置」）が必要となる。
【０００３】
これらの非接触通信装置を用いてコンテンツ表示端末装置と、利用者の情報端末装置との間でデータを送受するような用途も提案されている。例えば広告用のディスプレイの横に設置されたアンテナに情報端末装置でタッチを行うと表示されている広告がタッチした情報端末装置にダウンロードされる、というような用途については実施されている（例えば、特許文献１参照）。
【０００４】
一方、コンテンツ表示装置は大画面化を迎えており、特に広告表示のためのコンテンツ表示装置の場合には大画面の表示、かつ、利用者からのフィードバックを得るためにタッチ操作が可能になっているものもある。
【０００５】
これらの大画面コンテンツ表示装置にて非接触通信をサポートする場合、多くは表示装置とは別にＲＷ装置を設ける。ただし、これではどのタイミングでタッチを行えばよいのかなど利用者が分かりづらいということがあり、従来例のように、表示装置に非接触通信を追加するような用途が提案されている。また従来例にもあるように表示装置の大画面化を踏まえ、複数の非接触通信アンテナを表示装置上に設ける提案もなされている。
【先行技術文献】
【特許文献】
【０００６】
【特許文献１】特許第３５０６９３９号
【発明の概要】
【発明が解決しようとする課題】
【０００７】
しかしながら、コンテンツ表示装置上に複数の非接触通信アンテナとＲＷ装置を設けると、その数だけコストがかかってしまう。また、ＲＷ装置の積載場所の確保も必要となり、表示装置のハードウェア設計上大きな制約条件となってしまうという問題点があった。
【０００８】
また、電力や通信制御も設けられた数だけ複雑となる。通常非接触通信はデータを取得する際に一時的に必要となることが多く、一時的な用途のためにコストをかけることは難しい。
【０００９】
また、利用者から見た場合には複数の通信装置がただ並んでいるだけでは、どの通信装置にタッチを行えばよいかわからず、どの通信装置にタッチを行っても同じ動作が行われるのであれば、タッチ位置を変える意味がなかった。
【００１０】
さらに、タッチと非接触通信を同時に実現しているが、非接触通信の場合には表示装置に非常に近い位置までタッチする必要があり、この際にタッチパネルへの操作と誤認識されてしまうという課題も生じていた。
【００１１】
上述した課題を解決するために、本願発明の目的は、複数の非接触通信アンテナをひとつの非接触通信制御にて制御することを可能とすることで、装置のコストを低減するとともに、有効となるアンテナ装置位置を利用者に明示することができるようにすることで、利用者の操作も簡便にする表示装置等を提供することである。
【課題を解決するための手段】
【００１２】
本願発明の表示装置は、
表示コンテンツを表示する表示部を備えた表示装置において、
前記表示コンテンツに対応付けられたアンテナ情報に基づいて複数のアンテナから使用アンテナを選択するアンテナ選択部と、
選択された前記使用アンテナを用いて前記表示コンテンツに関する情報を情報端末装置に非接触通信により送信する非接触通信部と、
を備えることを特徴とする。
【００１３】
本願発明の通信方法は、
表示コンテンツを表示する表示部を備えた表示装置における通信方法であって、
前記表示コンテンツに対応付けられたアンテナ情報に基づいて複数のアンテナから使用アンテナを選択するステップと、
選択された前記使用アンテナを用いて前記表示コンテンツに関する情報を前記情報端末装置に非接触通信により送信するステップと、
を含むことを特徴とする。
【００１４】
本願発明の表示システムは、
複数のアンテナと、当該アンテナと接続される非接触通信部と、表示コンテンツを表示する表示部と、制御部とを含む表示システムにおいて、
前記制御部は、
前記表示コンテンツに対応付けられたアンテナ情報に基づいて複数のアンテナから使用アンテナを選択し、
選択された前記使用アンテナを用いて情報端末装置に前記非接触通信部を介して前記表示コンテンツに関する情報を送信する、
ことを特徴とする。
【００１５】
本願発明のプログラムは、
複数のアンテナと、当該アンテナと接続される非接触通信部と、表示コンテンツを表示する表示部とを備えた装置において実行されるプログラムであって、
前記プログラムは、
前記表示コンテンツに対応付けられたアンテナ情報に基づいて複数のアンテナから使用アンテナを選択し、
選択された前記使用アンテナを用いて情報端末装置に前記非接触通信部を介して前記表示コンテンツに関する情報を送信する、
ことを特徴とするプログラム。
【発明の効果】
【００１６】
本発明によれば、複数のアンテナのうち、有効となるアンテナを選択的に順次切り替えることにより、非接触通信を行う非接触通信部はひとつのみで行うことができるようにする。そのことにより、例えば、非接触通信部の一例として、ＩＣカードとの通信用の送受信機の搭載数が低減され、コスト削減の効果を期待出来る。
【図面の簡単な説明】
【００１７】
【図１】第１実施形態に装置全体を説明するための図である。
【図２】第１実施形態におけるコンテンツ表示装置の機能構成を示すブロック図である。
【図３】第１実施形態におけるＮＦＣ通信部の機能構成を示すブロック図である。
【図４】第１実施形態における表示部、タッチ検出部、非接触アンテナの位置関係を説明するための図である。
【図５】第１実施形態における表示部、タッチ検出部、非接触アンテナの位置関係を説明するための図である。
【図６】第１実施形態におけるコンテンツデータのデータ構成を説明するための図である。
【図７】第１実施形態におけるアンテナリストのデータ構成を説明するための図である。
【図８】第１実施形態におけるメイン処理を説明するための動作フローである。
【図９】第１実施形態におけるＮＦＣ検出処理を説明するための動作フローである。
【図１０】第１実施形態における実施例を説明するための図である。
【図１１】第１実施形態における実施例を説明するための図である。
【図１２】第１実施形態における実施例を説明するための図である。
【図１３】第２実施形態におけるアンテナリストのデータ構成を説明するための図である。
【図１４】第２実施形態における非接触アンテナの配置を説明するための図である。
【図１５】第２実施形態における非接触アンテナの配置を説明するための図である。
【図１６】第２実施形態におけるＮＦＣ検出処理を説明するための動作フローである。
【図１７】第３実施形態におけるメイン処理を説明するための動作フローである。
【図１８】第３実施形態における実施例を説明するための図である。
【図１９】第３実施形態における実施例を説明するための図である。
【図２０】第４実施形態におけるＮＦＣ検出処理を説明するための動作フローである。
【発明を実施するための形態】
【００１８】
以下、本発明の実施の形態を添付図面を参照して説明する。なお、本実施形態では、一例として、本発明におけるコンテンツ表示装置を、例えばショッピングモール等に設置されるインフォメーションディスプレイを例に説明するが、他の表示装置でも適用可能なことは勿論である。
【００１９】
［１．第１実施形態］
［１．１  全体構成］
まず、第１実施形態における全体構成について、図１を用いて説明する。図１は、コンテンツ表示装置１を示した図である。本実施形態では、縦置き（縦方向の解像度が多い状態）で装置が設置されている。
【００２０】
このようなコンテンツ表示装置１は、例えばショッピングモールや、駅、イベント会場等において種々の情報を表示するために設置されている。例えば、通信により受信されたコンテンツを表示することで、様々な情報（コンテンツ）を切り替えて表示することができる。
【００２１】
さらに、当該情報について、利用者がアクセスしやすいような工夫がされている。例えば、ＱＲコード（登録商標）を表示したりする場合や、赤外線によりコンテンツ情報を送信する装置が考えられる。
【００２２】
本実施形態では、近距離無線通信の一つである非接触通信（ＮＦＣ（Near Field Communication））を用いて、利用者の情報端末装置３にコンテンツ情報を送信している。
【００２３】
利用者が、情報端末装置３をコンテンツ表示装置１にかざす（タッチする）ことにより、ＮＦＣにより通信が開始される。これにより、指定されたコンテンツ情報が、情報端末装置３に送信されることとなる。
【００２４】
［１．２  機能構成］
つづいて、本実施形態におけるコンテンツ表示装置１の機能構成について、図２を用いて説明する。図２に示すように、コンテンツ表示装置１は、制御部１１０と、ＮＦＣ通信部１２０と、ＮＷ通信部１３０と、表示部１４０と、タッチ検出部１５０と、記憶部１６０とを備えて構成されている。
【００２５】
制御部１１０は、コンテンツ表示装置１の全体を制御するための機能部である。制御部１１０は、記憶部１６０に記憶されている各種プログラムを読み出して実行することにより各種機能を実現しており、例えばＣＰＵ（Central Process Unit）等により構成されている。
【００２６】
ＮＦＣ通信部１２０は、非接触通信を行う為の機能部である。例えば、ＩＳＯ／ＩＥＣ  １４４４３や、ＩＳＯ／ＩＥＣ  １８０９２（Ｆｅｌｉｃａ）等の規格により通信が行われる。
【００２７】
ここで、ＮＦＣ通信部１２０について、図３を用いて詳細に説明する。ＮＦＣ通信部１２０は、非接触アンテナ１２１０と、アンテナ切替え手段１２２０と、アンテナ制御手段１２３０と、非接触通信手段１２４０とを備えて構成されている。
【００２８】
ここで、非接触アンテナ１２１０は、複数のアンテナから構成されている。例えば、第１非接触アンテナ１２１０ａ、第２非接触アンテナ１２１０ｂ、・・・、第ｎ非接触アンテナ１２１０ｎを有している。
【００２９】
これらの複数の非接触アンテナは、アンテナ切替え手段１２２０に接続されている。このアンテナ切替え手段１２２０により、利用可能なアンテナが切り替えられる。また、この切替え制御については、アンテナ制御手段１２３０が行っている。なお、本実施形態では、ＮＦＣ通信部１２０をモジュールと説明しているので、アンテナ制御手段１２３０を設けているが、制御部１１０が行っても良い。
【００３０】
非接触通信手段１２４０は、コンテンツ表示装置１が情報端末装置３と非接触通信（例えば、ＮＦＣ通信）を行うための通信部である。情報端末装置３のＮＦＣ通信部と、非接触アンテナを介して通信を行うこととなる。ここで、本実施形態では、非接触アンテナ１２１０を、所定時間（例えば、１０ｍｓ）毎に順次切り替える構成となっている。なお、非接触アンテナ１２１０を切り替える時間としては、予め定められていても良いし、設定により切り替えられるようにしても良い。また、コンテンツの種類や、時間によって切り替える設定（例えば、店舗開店直後や閉店間際は間隔を長くしたり、休日は間隔を短くしたりするような設定）としても良い。
【００３１】
なお、通信の一例として、情報端末装置３のＮＦＣ通信部が、例えば第２非接触アンテナ１２１０ｂで検出された場合について説明する。この場合、アンテナ切替え手段１２２０は、第２非接触アンテナ１２１０ｂに使用するアンテナを固定する。そして、非接触通信手段１２４０は、第２非接触アンテナ１２１０ｂを介して、情報端末装置３と通信を行うこととなる。
【００３２】
ＮＷ（Network）通信部１３０は、ネットワーク（例えば、無線ＬＡＮや、３Ｇ携帯通信網、ＬＴＥ通信網）に接続し、他の装置、サーバ等と通信を行うための機能部である。例えば、ＮＷ通信部１３０を介してコンテンツを受信したりする。
【００３３】
表示部１４０は、各種情報を表示するための表示装置である。例えば、液晶ディスプレイ（ＬＣＤ）や、有機ＥＬパネル等により構成されている。
【００３４】
タッチ検出部１５０は、利用者のタッチ操作を検出するための機能部である。タッチを検出する方式としては、抵抗膜方式、赤外線方式、電磁誘導方式、静電容量方式等といった何れの方法を用いてもよい。また、表示部１４０と、タッチ検出部１５０とを一体に形成して、タッチパネルとして利用されるのが一般的である。
【００３５】
ここで、図４及び図５を用いて、各装置の構成について説明する。すなわち、表示部１４０の表示パネルの上に、タッチ検出部１５０が設けられている。これにより、利用者からのタッチ入力を検出することができる。
【００３６】
また、タッチ検出部１５０の上に、非接触アンテナ１２１０が配置されている。これにより、表示部１４０でコンテンツが表示されている上に、利用者が情報端末装置３をタッチすることにより、ＮＦＣを利用した通信が可能となる。
【００３７】
なお、表示部１４０と、タッチ検出部１５０との間に非接触アンテナ１２１０を配置しても同様の効果は得られる。
【００３８】
また、後述するが、表示部１４０上には複数の非接触アンテナ１２１０が配置されている。これにより、コンテンツに応じて、利用する非接触アンテナ１２１０を決定することとなる。
【００３９】
記憶部１６０は、コンテンツ表示装置１の動作に必要な各種プログラムや、各種データが記憶されている機能部である。記憶部１６０は、例えば、半導体メモリや、ＨＤＤ（Hard Disk Drive）等により構成されている。
【００４０】
また、記憶部１６０には、コンテンツデータ１６２と、アンテナリスト１６４とが記憶されている。コンテンツデータ１６２の一例について、図６を用いて説明する。
【００４１】
図６に示すように、コンテンツデータ１６２は、表示コンテンツ（例えば、「shop1410」）と、使用ＮＦＣ位置（アンテナ位置）（例えば、「１，２，５，６」）とを対応づけて記憶している。
【００４２】
また、アンテナリスト１６４は、アンテナに関するリストが記憶されている。例えば、本実施形態においては、コンテンツ毎に使用されるアンテナが選択される情報として、アンテナ選択テーブルが記憶されている。
【００４３】
アンテナ選択テーブルの一例について、図７を用いて説明する。アンテナ選択テーブルは、アンテナ毎に通信が可能か否かを記憶している。例えば、アンテナ１が「ＯＮ」であれば、対応するアンテナ（例えば、第１非接触アンテナ１２１０ａ）が使用可能であることを示している。
【００４４】
［１．３  処理の流れ］
つづいて、第１実施形態における処理の流れについて、説明する。
【００４５】
［１．３．１  メイン処理］
まず、本実施形態のメインとなる処理について、図８を用いて説明する。まず、コンテンツをコンテンツデータ１６２から読み出す（ステップＳ１０２）。つづいて、ＮＦＣ検出処理を実行する（ステップＳ１０４）。
【００４６】
コンテンツデータ１６２が読み出されることにより、コンテンツデータ１６２に含まれている使用ＮＦＣ位置に基づいてアンテナリスト１６４が更新されることとなる。すなわち、複数ある非接触アンテナのうち、どのアンテナを使用するのかが明確になる。
【００４７】
ＮＦＣの通信が検出された場合には（ステップＳ１０６；Ｙｅｓ）、ＮＦＣの通信処理が実行される（ステップＳ１０８）。ここで、ＮＦＣ通信処理としては、種々の処理が考えられる。例えば、表示されているコンテンツに関する情報（電話番号や、ＵＲＬといった情報）を情報端末装置３に送信することとしても良いし、割引情報等の店舗に関する情報を送信することとしても良い。また、決済処理を行っても良い。
【００４８】
ＮＦＣ通信が終了し、他のコンテンツに切り替える場合は、ステップＳ１０２より処理を繰り返し実行する（ステップＳ１１０；Ｙｅｓ→ステップＳ１０２）。
【００４９】
［１．３．２  ＮＦＣ検出処理］
つづいて、ＮＦＣ検出処理について、図９を用いて説明する。まず、アンテナリスト１６４に記憶されているアンテナ選択テーブルから、使用可能な非接触アンテナを読み出す（ステップＳ１５２）。
【００５０】
つづいて、現在の非接触アンテナ（例えば、最初であれば第１非接触アンテナ１２１０ａ）が選択アンテナであるか否かを判定する（ステップＳ１５４）。選択アンテナとは、アンテナ選択テーブルに「ＯＮ」と記憶されているアンテナである。
【００５１】
仮に、選択アンテナの場合には、そのまま当該アンテナを選択（通電）し、情報端末装置３が検出された否かを判定する（ステップＳ１５６）。
【００５２】
ここで、現在受信しているアンテナが、選択アンテナで無い場合（ステップＳ１５４；Ｎｏ）又は情報端末装置３が検出できなかった場合（ステップＳ１５６；Ｎｏ）には、次のアンテナに切り替える（ステップＳ１６２）。例えば、本実施形態であれば、次の第２非接触アンテナ１２１０ｂに切り替えて、ステップＳ１５２から処理を繰り返し実行する。
【００５３】
また、情報端末装置３が検出された場合、具体的には情報端末装置３とＮＦＣ通信部１２０を介してＮＦＣ通信が行える場合には、現在のアンテナにてＮＦＣ通信を開始する（ステップＳ１５８）。
【００５４】
そして、ＮＦＣ通信が終わるまで、通信を実行し（ステップＳ１６０；Ｎｏ）、通信が終了後に、再び同じ処理を繰り返し実行する（ステップＳ１６０；Ｙｅｓ→ステップＳ１５２）。
【００５５】
［１．４  実施例］
本実施形態の実施例について、図を用いて説明する。図１０は、表示部１４０に、非接触アンテナ１２１０を配置した図を模式的に示している図である。例えば、アンテナ１として非接触アンテナ１２１０ａ、アンテナ２として非接触アンテナ１２１０ｂ、アンテナ３として非接触アンテナ１２１０ｃ、アンテナ４として非接触アンテナ１２１０ｄ、アンテナ５として非接触アンテナ１２１０ｅ、アンテナ６として非接触アンテナ１２１０ｆを配置している。
【００５６】
図１１は、コンテンツデータ１６２の一例である。本実施形態により表示されるコンテンツの情報（「ｓｈｏｐ１５１４」）とともに、使用するＮＦＣ位置（アンテナ）が記憶されている。当該使用ＮＦＣ位置により、選択アンテナが決定され、アンテナリスト１６４のアンテナ選択テーブルが更新される。
【００５７】
さらに、各アンテナのコンテンツが記憶されている。この場合にコンテンツを表示しているのが図１２である。図１２において、例えば、非接触アンテナ１２１０ａの位置に情報端末装置３がタッチされると、ドリンク無料券が情報端末装置３に送信される。また、非接触アンテナ１２１０ｅの位置に情報端末装置３がタッチされると、６００円決済が行われ、併せて「ランチパック」の購入情報が送信される。
【００５８】
また、非接触アンテナ１２１０ｆの位置に情報端末装置３がタッチされると、営業案内に関する情報（例えば、ＷＥＢページのＵＲＬ）が送信される。また、非接触アンテナ１２１０ｃ、１２１０ｄの位置に情報端末装置３がタッチされても何も実行されない。
【００５９】
このように、本実施形態によれば、表示されているコンテンツに応じて、タッチする位置を可変させることが出来るコンテンツ表示装置１を実現することが可能である。
【００６０】
本実施形態によれば、複数の非接触アンテナのうち、有効となる非接触アンテナを選択的に順次切り替えることにより、非接触通信を行う非接触通信部はひとつのみで行うことができるようにする。そのことにより、例えば、非接触通信部の一例として、ＩＣカードの送受信機の搭載数が低減され、コスト削減の効果を期待出来る。
【００６１】
また、現在選択されているコンテンツによって切り替え対象とするアンテナの数や位置を変更することを可能とし、切り替え対象となっているアンテナの場所を利用者に示すことにより、簡便な操作を行うことができるようにする。
【００６２】
［２．第２実施形態］
つづいて、第２実施形態について説明する。本実施形態では、コンテンツ表示装置１の設置状況に基づいて、使用するアンテナを切り替えるという実施形態である。
【００６３】
なお、第１実施形態と機能構成は同一であるため、その説明は省略する。ここで、本実施形態におけるアンテナリスト１６４に記憶される情報を図１３に示す。
【００６４】
図１３に示すように、アンテナリスト１６４に、さらにアンテナ設定テーブルを記憶する。アンテナ設定テーブルは、コンテンツ表示装置１の設置状況に応じて選択されるテーブルである。例えば、表示部１４０には、非接触アンテナ１２１０が縦４×横４個に配置されているとする。コンテンツ表示装置１が横に設置された場合の状態を図１４、縦に設置された場合の状態を図１５に示す。
【００６５】
このとき、縦置きと横置きとで、使用可能なアンテナが切り替わる。すなわち、表示部１４０の下半分の非接触アンテナを利用することにより、利用者がタッチしやすい状態となっている。
【００６６】
例えば、使用可能アンテナとして、縦置きの場合は「３，４，７，８，１１，１２，１５，１６」が選択されている。したがって、この使用可能アンテナの中から選択アンテナが選択されることとなる。
【００６７】
本実施形態におけるＮＦＣ検出処理を図１６に示す。ここで、図１６のＮＦＣ検出処理は、第１実施形態で説明した図９のＮＦＣ検出処理を置き換えた図である。共通の処理には共通の符号を付すことにより、詳細な説明を省略する。
【００６８】
すなわち、最初にアンテナ設定テーブルを読み出すことにより、使用可能アンテナが決定される（ステップＳ２０２）。この、使用可能アンテナは、コンテンツ表示装置１の設置状態により決定されるアンテナである。
【００６９】
つぎに、アンテナ選択テーブルが読み出される（ステップＳ２０４）。ここで、選択されるアンテナとしては、表示されるコンテンツに基づいて選択されるアンテナである。
【００７０】
そして、使用可能アンテナであって、現在のアンテナが選択アンテナの場合に、情報端末装置が検出される（ステップＳ２０６；Ｙｅｓ→ステップＳ１５６）。
【００７１】
このようなＮＦＣ検出処理が実行されることにより、例えば、コンテンツ上選択可能であっても、装置の設置状態から選択できない部分については、選択させないということが可能である。
【００７２】
なお、本実施形態では、単純にアンテナとして使用可能か否かという点を説明したが、コンテンツ内容であっても良い。
【００７３】
例えば、表示部１４０の上部にある非接触アンテナ１２１０については、決済処理ができるが、下にある非接触アンテナ１２１０については、決済処理ができないという制限をかけることも可能である。
【００７４】
これにより、例えば子供などが間違えて決済処理をするといったことを防ぐことが可能となる。
【００７５】
［３．第３実施形態］
つづいて、第３実施形態について説明する。第３実施形態は、情報端末装置３がタッチしようとしている場合、すなわちＮＦＣ通信が開始されるときには、タッチ検出を無効とする実施形態である。
【００７６】
なお、第１実施形態と機能構成は同一であるため、その説明は省略する。本実施形態は、第１実施形態で説明した図８のメイン処理を図１７のメイン処理に置き換えたものである。なお、第１実施形態の同一の処理には同一の符号を付すことにより、その説明を省略する。
【００７７】
ステップＳ１０６において、ＮＦＣ通信が検出された場合には（ステップＳ１０６；Ｙｅｓ）、タッチ検出を無効とする（ステップＳ３０２）。この場合、タッチ検出部１５０による検出動作を一律に無効としても良いし、当該情報端末装置３が検出されている非接触アンテナ近傍の領域のタッチ検出を無効としても良い。
【００７８】
そして、タッチ検出が無効とされた後に、ＮＦＣ通信処理が実行される（ステップＳ１０８）。なお、ステップＳ３０２と、ステップＳ１０８は、逆の処理であってもよい。本実施形態では、通信が確立する以前から、情報端末装置３のＮＦＣ通信部を検出した段階でタッチ検出を無効としている。
【００７９】
そして、ＮＦＣ通信が終了（通信が完了した場合、通信が中断した場合を含む）した後に、タッチ検出を有効とする（ステップＳ３０４）。この後、タッチが検出されれば（ステップＳ３０６；Ｙｅｓ）、検出されたタッチ操作に応じた操作実行処理が行われる（ステップＳ３０８）。
【００８０】
例えば、図１８のように、アンテナ１〜８（非接触アンテナ１２１０）が配置されたコンテンツ表示装置１について説明する。このコンテンツ表示装置１にコンテンツが表示されている状態が図１９である。
【００８１】
本実施形態の場合、各店舗をタッチすることにより、店舗情報が参照できる。例えば、「Ａ店」の領域をタッチすると、Ａ店の店舗情報（例えば、営業時間、特売情報等）が表示されることとなる。同様に、Ｂ店、Ｃ店・・・も、タッチすることで、店舗情報を表示させることができる。
【００８２】
ここで、併せてＡ店、Ｅ店には、「クーポンあり」と表示されている。この場合、情報端末装置３でタッチすることにより、ＮＦＣ通信を介してクーポンを取得することが可能である。しかし、情報端末装置３をかざした状態で、利用者の手が当たってしまうと、意図しない動作となってしまう場合がある。
【００８３】
本実施形態によれば、情報端末装置３をかざす段階で、タッチ検出部１５０のタッチ検出が無効となることにより、意図しない動作となることがない。すなわち、情報端末装置３は、確実にＮＦＣ通信を行うことが可能となる。
【００８４】
［４．第４実施形態］
つづいて、第４実施形態について説明する。第４実施形態は、選択されているアンテナの領域を識別表示する実施形態である。
【００８５】
なお、第１実施形態と機能構成は同一であるため、その説明は省略する。本実施形態は、第１実施形態で説明した図９のＮＦＣ検出処理を図２０のＮＦＣ検出処理に置き換えたものである。なお、第１実施形態の同一の処理には同一の符号を付すことにより、その説明を省略する。
【００８６】
本実施形態では、選択アンテナと判定された場合に（ステップＳ１５４；Ｙｅｓ）、領域を識別表示する（ステップＳ４０２）。これにより、利用者がどの領域をタッチすればよいかを明確に示すことが可能となる。
【００８７】
なお、このとき、切替えと併せて表示しても良いし、選択アンテナを全て識別表示することとしても良い。例えば、切替え時間（全アンテナが切り替わる周期時間）より長い時間を識別表示時間とすることで、選択アンテナが複数有れば、複数が常時識別表示されることとなる。逆に、周期時間より短い時間であれば、選択アンテナが切り替わる度に識別表示も移動することとなる。
【００８８】
［５．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【００８９】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【００９０】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【００９１】
また、上述した実施形態では、ＮＦＣ通信が可能な情報端末装置を例に説明したが、端末装置ではなく、単なるＮＦＣ通信可能なカード（例えば、Ｓｕｉｃａ（登録商標）等の交通系カード、Ｅｄｙ（登録商標）等の電子マネー系カード、ポイントカード、会員証等）であっても良い。
【００９２】
なお、上述した実施形態によれば、
第１の実施態様として、コンテンツデータに含まれる表示コンテンツを表示する表示部を備えたコンテンツ表示装置において、
前記表示部と同一面側に配置された複数のアンテナと、
前記コンテンツデータには、前記複数のアンテナのうち使用アンテナの情報が含まれており、
前記複数のアンテナのうち、前記使用アンテナを選択的に切り替えるアンテナ切替え部と、
前記アンテナ切替え部により選択されたアンテナを用いて、非接触通信を行う非接触通信部と、
を有することを特徴とするコンテンツ表示装置を提供することができる。
【００９３】
また、第２の実施態様として、前記アンテナ切替え部は、一定の時間間隔で前記使用アンテナを選択的に切り替えることを特徴とする第１の実施態様のコンテンツ表示装置を提供することができる。
【００９４】
また、第３の実施態様として、前記アンテナ切替え部は、前記コンテンツ表示装置が縦置きか横置きかに応じて、前記複数のアンテナの中から使用アンテナを決定し、当該使用アンテナを選択的に切り替えることを特徴とする第１の実施態様又は第２の実施態様のコンテンツ表示装置を提供することができる。
【００９５】
また、第４の実施態様として、タッチ操作を検出するタッチ検出部を更に備え、
前記タッチ検出部は、前記非接触通信部により非接触通信が行われている場合には、タ
ッチ操作の検出を無効にすることを特徴とする第１の実施態様から第３の実施態様の何れか一つに記載のコンテンツ表示装置を提供することができる。
【符号の説明】
【００９６】
１  コンテンツ表示装置
３  情報端末装置
１１０  制御部
１２０  ＮＦＣ通信部
１２１０  非接触アンテナ
１２２０  アンテナ切替え手段
１２３０  アンテナ制御手段
１２４０  非接触通信手段
１３０  ＮＷ通信部
１４０  表示部
１５０  タッチ検出部
１６０  記憶部
１６２  コンテンツデータ
１６４  アンテナリスト
【図１】
2019133687.tif 000003
【図２】
2019133687.tif 000004
【図３】
2019133687.tif 000005
【図４】
2019133687.tif 000006
【図５】
2019133687.tif 000007
【図６】
2019133687.tif 000008
【図７】
2019133687.tif 000009
【図８】
2019133687.tif 000010
【図９】
2019133687.tif 000011
【図１０】
2019133687.tif 000012
【図１１】
2019133687.tif 000013
【図１２】
2019133687.tif 000014
【図１３】
2019133687.tif 000015
【図１４】
2019133687.tif 000016
【図１５】
2019133687.tif 000017
【図１６】
2019133687.tif 000018
【図１７】
2019133687.tif 000019
【図１８】
2019133687.tif 000020
【図１９】
2019133687.tif 000021
【図２０】
2019133687.tif 000022